【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
３バンド以上の通常画像生成用カラーフィルタと、前記通常画像生成用カラーフィルタとは分光感度特性が異なる補正情報生成用カラーフィルタとがアレイ状に配置されたカラーフィルタアレイを有する撮像素子と、
前記通常画像生成用カラーフィルタを用いて得られた画素値の補間処理を行うことで、欠落画素の画素値が補間された通常画像の生成処理を行う通常画像生成部と、
少なくとも前記補正情報生成用カラーフィルタを用いて得られた画素値に基づいて、スペクトル推定処理を行うスペクトル推定部と、
前記スペクトル推定部により得られるスペクトル推定値に基づいて、前記通常画像の画素値を補正する補正情報を生成する補正情報生成部と、
前記補正情報に基づいて前記通常画像の補正処理を行って、補正画像を生成する補正画像生成部と、
を含むことを特徴とする撮像装置。
【請求項２】
請求項１において、
前記補正情報生成部は、
前記スペクトル推定処理において、一つの画素値から得られる一つのスペクトル推定値のデータに基づいて、前記通常画像の複数の画素値に対する前記補正情報を生成することを特徴とする撮像装置。
【請求項３】
請求項１又は２において、
特定の波長帯域における情報を有する被写体像を含む前記通常画像において、注目すべき領域である注目領域を、前記スペクトル推定値のデータに基づいて検出する注目領域検出部と、
検出した前記注目領域に対して表示態様設定処理を行う表示態様設定部と、
を含むことを特徴とする撮像装置。
【請求項４】
請求項１乃至３のいずれかにおいて、
前記通常画像生成用カラーフィルタは、
Ｒ用のカラーフィルタと、Ｇ用のカラーフィルタと、Ｂ用のカラーフィルタを有し、
前記補正情報生成用カラーフィルタは、
前記Ｒ用のカラーフィルタと前記Ｇ用のカラーフィルタと前記Ｂ用のカラーフィルタのいずれのカラーフィルタよりも低いサンプル密度で、前記カラーフィルタアレイに配置されることを特徴とする撮像装置。
【請求項５】
請求項４において、
前記通常画像生成用カラーフィルタのうちの前記Ｇ用のカラーフィルタは、
前記カラーフィルタアレイにおいて、奇数行の奇数列及び偶数行の偶数列、又は奇数行の偶数列及び偶数行の奇数列に配置されることを特徴とする撮像装置。
【請求項６】
請求項１乃至５のいずれかにおいて、
前記補正情報生成用カラーフィルタを用いて得られる画素値に基づいて、前記補正情報を生成するために用いる特殊波長補間画像の生成処理を行う特殊波長補間画像生成部を含み、
前記特殊波長補間画像生成部は、
前記補正情報生成用カラーフィルタを用いて得られた画素値の補間処理を前記生成処理として行って、欠落画素の画素値が補間された前記特殊波長補間画像を生成し、
前記スペクトル推定部は、
前記特殊波長補間画像に基づいて前記スペクトル推定処理を行うことを特徴とする撮像装置。
【請求項７】
請求項６において、
前記特殊波長補間画像生成部は、
前記通常画像生成部により生成される前記通常画像よりも解像度が低い前記特殊波長補間画像を生成し、
前記スペクトル推定部は、
少なくとも前記特殊波長補間画像の画素値に基づいて、前記特殊波長補間画像の解像度で前記スペクトル推定処理を行い、
前記補正情報生成部は、
前記スペクトル推定処理の結果得られた一つのスペクトル推定値のデータに基づいて、前記通常画像の複数の画素値に対する前記補正情報を生成し、
前記補正画像生成部は、
生成された前記補正情報を用いて、前記通常画像の解像度で前記補正処理を行うことを特徴とする撮像装置。
【請求項８】
請求項１乃至７のいずれかにおいて、
前記スペクトル推定部は、
前記通常画像から光源の色を表す光源色画素を抽出し、抽出した前記光源色画素の光源スペクトルを推定して、光源スペクトル推定値を求め、
前記補正情報生成部は、
前記光源スペクトル推定値のデータと、予め記憶されている光源スペクトルデータとを比較して、光源を推定することを特徴とする撮像装置。
【請求項９】
請求項８において、
前記補正画像生成部は、
前記通常画像に対して、推定された光源に基づいてホワイトバランスを補正する前記補正処理を行うことを特徴とする撮像装置。
【請求項１０】
請求項１乃至９のいずれかにおいて、
前記補正情報生成部は、
前記通常画像内に設定された複数の領域の領域毎に前記補正情報を生成し、
前記補正画像生成部は、
前記補正情報生成部により生成された前記通常画像内の領域毎の前記補正情報を用いて前記通常画像に対する前記補正処理を行うことを特徴とする撮像装置。
【請求項１１】
請求項１乃至１０のいずれかにおいて、
前記補正情報生成部は、
前記スペクトル推定部により推定された前記スペクトル推定値のデータと、予め記憶されている検出対象のスペクトルデータとの比較処理を行い、前記比較処理の結果に基づいて、特定のスペクトルを有する特定スペクトル領域を検出し、検出した前記特定スペクトル領域の検出結果に基づいて、前記補正情報を生成することを特徴とする撮像装置。
【請求項１２】
請求項１乃至１１のいずれかにおいて、
前記スペクトル推定部は、
前記特殊波長補間画像から光源の色を表す光源スペクトルデータ測定画素を抽出し、抽出された前記光源スペクトルデータ測定画素の光源スペクトルを推定して、光源スペクトル推定値を求め、
前記補正画像生成部は、
前記通常画像に対して、前記光源スペクトル推定値に基づきホワイトバランスを補正する処理を行うことを特徴とする撮像装置。
【請求項１３】
請求項６において、
前記スペクトル推定部は、
白色光の光源スペクトルデータに基づいて、前記特殊波長補間画像に対してスペクトル推定を行い、
前記補正情報生成部は、
特定波長領域において、前記スペクトル推定値のデータと、予め記憶されている光源スペクトルデータとを比較して、光源を推定することを特徴とする撮像装置。
【請求項１４】
請求項１乃至１３のいずれかにおいて、
前記スペクトル推定部は、
前記撮像素子から画素値を読み出す際に、前記通常画像生成用カラーフィルタを用いて得られる画素値を読み出さず、前記補正情報生成用カラーフィルタを用いて得られる画素値を読み出す間引き読み出しを行い、間引き読み出しした画素値を用いて前記スペクトル推定処理を行うことを特徴とする撮像装置。
【請求項１５】
請求項１乃至１４のいずれかにおいて、
前記撮像素子の前記通常画像生成用カラーフィルタ及び前記補正情報生成用カラーフィルタは、
赤外光の波長領域にピーク波長を有する赤外フィルタであることを特徴とする撮像装置。
【請求項１６】
請求項１５において、
前記赤外光の波長帯域は、
７９０ナノメータ〜８２０ナノメータ、または９０５ナノメータ〜９７０ナノメータの波長帯域であることを特徴とする撮像装置。
【請求項１７】
３バンド以上の通常画像生成用カラーフィルタと、前記通常画像生成用カラーフィルタとは分光感度特性が異なる補正情報生成用カラーフィルタとがアレイ状に配置されたカラーフィルタアレイを有する撮像素子と、
前記通常画像生成用カラーフィルタを用いて得られた画素値の補間処理を行うことで、欠落画素の画素値が補間された通常画像の生成処理を行う通常画像生成部と、
少なくとも前記補正情報生成用カラーフィルタを用いて得られた画素値に基づいて、スペクトル推定処理を行うスペクトル推定部と、
特定の波長帯域における情報を有する被写体像を含む前記通常画像において、注目すべき領域である注目領域を、前記スペクトル推定部により得られるスペクトル推定値のデータに基づいて検出する注目領域検出部と、
検出した前記注目領域に対して表示態様設定処理を行う表示態様設定部と、
を含むことを特徴とする撮像装置。
【請求項１８】
３バンド以上の通常画像生成用カラーフィルタを用いて得られた画素値の補間処理を行うことで、欠落画素の画素値が補間された通常画像の生成処理を行い、
少なくとも、前記通常画像生成用カラーフィルタとは分光感度特性が異なる補正情報生成用カラーフィルタを用いて得られた画素値に基づいて、スペクトル推定処理を行い、
前記スペクトル推定処理の結果として得られるスペクトル推定値に基づいて、前記通常画像の画素値を補正する補正情報を生成し、
前記補正情報に基づいて前記通常画像の補正処理を行って、補正画像を生成することを特徴とする画像生成方法。
【請求項１９】
３バンド以上の通常画像生成用カラーフィルタを用いて得られた画素値の補間処理を行うことで、欠落画素の画素値が補間された通常画像の生成処理を行い、
少なくとも、前記通常画像生成用カラーフィルタとは分光感度特性が異なる補正情報生成用カラーフィルタを用いて得られた画素値に基づいて、スペクトル推定処理を行い、
特定の波長帯域における情報を有する被写体像を含む前記通常画像において、注目すべき領域である注目領域を、前記スペクトル推定処理の結果として得られるスペクトル推定値のデータに基づいて検出し、
検出した前記注目領域に対して表示態様設定処理を行うことを特徴とする画像生成方法。